(57)【要約】【課題】照明装置に関し、特に、屋外に設置され、３つの高輝度ランプからなる照明灯の混色によって７色の発光が可能であるとともに、広範囲および広角配光が可能な照明装置を提供する。【解決手段】３つの高輝度放電ランプからなる照明灯と、該照明灯の先端を保護する半球形のグローブと、前記照明灯の基部を包囲する照明灯筐体と、異なる色で形成された３つのカラーフィルタと仕切板とを備えるとともに前記グローブと前記照明灯筐体とを一体的に装着する装置枠体と、前記グローブと前記装置枠体とを載設する固定台と、前記照明灯の電流を制御する安定器と、前記照明灯の点滅を制御する制御装置と、からなる照明装置である。【選択図】  図１
2010277930.tif 000002
【特許請求の範囲】
【請求項１】
３つの高輝度放電ランプからなる照明灯と、
該照明灯の先端を保護する半球形のグローブと、
前記照明灯の基部を包囲する照明灯筐体と、
異なる色で形成された３つのカラーフィルタと仕切板とを備えるとともに前記グローブと前記照明灯筐体とを一体的に装着する装置枠体と、
前記グローブと前記装置枠体とを載設する固定台と、
前記照明灯の電流を制御する安定器と、
前記照明灯の点滅を制御する制御装置と、
からなることを特徴とする照明装置。
【請求項２】
前記照明装置は、前記グローブおよび前記装置枠体が固定台に載設固定されるとともに、前記照明灯が固着されて取手の装備された照明灯筐体が着脱自在に装着された構成であることを特徴とする請求項１記載の照明装置。
【請求項３】
前記カラーフィルタは、赤・緑・青のフィルタからなり、３つの高輝度放電ランプの点灯の組み合わせを制御することにより照明装置から混色して７色を発光することを特徴とする請求項１又は２記載の照明装置。
【請求項４】
前記照明灯筐体は、前記照明灯の点灯を照明装置後方から視認可能なクリアボルトを装備することを特徴とする請求項１乃至３の何れか１項に記載の照明装置。
【請求項５】
前記照明グローブは、乳白色のアクリル製の半球体であることを特徴とする請求項１乃至４の何れか１項に記載の照明装置。
【発明の詳細な説明】
【技術分野】
【０００１】
本発明は照明装置に関し、特に、屋外に設置される照明装置であって、３つの高輝度ランプからなる照明灯からなり、各ランプに与えられる３原色の混色によって７色の発光が可能であるとともに、広範囲および広角配光が可能な照明装置に関する。
【背景技術】
【０００２】
従来、屋外用の照明装置は、紫外線、大気汚染物質等の厳しい対外環境から劣化が起こりやすいという事情があり耐久性を充分に考慮する必要があるとともに、設置場所によっては照明装置のメンテナンスを行う事が困難であるという問題があった。
【０００３】
この問題を解決するために、透過性カバーの外表面に光触媒層を形成した照射率の低下を防ぐ機器で、かつ、容易にメンテナンス出来る屋外用照明器具が開発されている。
【０００４】
しかし、外的環境による設計、メンテナンスの困難性等の要因から単一の光源による単一の発光の技術はあるものの、多様な色を同一の照明装置から発光するとともに、広角配光および広範囲へ光を照射させることが困難であるという問題があった。
【０００５】
また、使用環境または設置場所の影響による器具寿命の影響が少なくなるように、透光部のある外殻内を密閉空間とした照明器具がある。この構造により、点灯装置自体の防水構造を必要とせず、低コストな照明器具が考案されている。
【０００６】
しかし、水平方向への配光は良好であっても、下方向へ同様に光を配光することが困難であるという問題が残っていた。また、密閉性を高めた構造により、故障時に容易にメンテナンスし難く、多様な色を発光させてバリエーションを持たせる事が困難であるという問題もあった。
【０００７】
また、光源を取り替え易い構造とする工夫や、光を強く照射する為に、筒体に着脱自在に取り付けられたライトアップ光源が開発されている。
このライトアップ光源は、メンテナンスし易く、光源を変更する事により光のバリエーションを持たせる事が可能であり、光源から放射された光が透明板の前面から直角をなす方向に効率よく照射するので、エネルギー効率がよく、構造物を美しくライトアップできるという利点がある。しかし、この構造では、光を遠方や広角度に配光することが出来ないという問題があった。
【先行技術文献】
【特許文献】
【０００８】
【特許文献１】特開２００６−２４５００７号公報
【特許文献２】特開２００６−２３６６６２号公報
【特許文献３】特開平７−２６２８１１号公報
【発明の概要】
【発明が解決しようとする課題】
【０００９】
上記問題を解決するために、本発明は照明装置に関し、特に、屋外または高い場所に設置される照明装置であって、照明灯の３色の光源の点滅の組み合わせによって７色の色の発光が可能であり、更に、広範囲および広角配光が可能な照明装置を提供することを目的とする。
【課題を解決するための手段】
【００１０】
上記目的を達成するために、本発明に係る照明装置は、３つの高輝度放電ランプからなる照明灯と、該照明灯の先端を保護する半球形のグローブと、前記照明灯の基部を包囲する照明灯筐体と、異なる色で形成された３つのカラーフィルタと仕切板とを備えるとともに前記グローブと前記照明灯筐体とを一体的に装着する装置枠体と、前記グローブと前記装置枠体とを載設する固定台と、前記照明灯の電流を制御する安定器と、前記照明灯の点滅を制御する制御装置と、からなる構成である。
【００１１】
また、前記照明装置は、前記グローブおよび前記装置枠体が固定台に載設固定されるとともに、前記照明灯が固着されて取手の装備された照明灯筐体が着脱自在に装着された構成の照明装置でもある。
【００１２】
更に、前記カラーフィルタは、赤・緑・青のフィルタからなり、３つの高輝度放電ランプの点灯の組み合わせを制御することにより照明装置から混色して７色を発光する構成である。
【００１３】
また、前記照明灯筐体は、前記照明灯の点灯を照明装置後方から視認可能なクリアボルトを装備する構成である。更に、前記照明グローブは、乳白色のアクリル製の半球体で構成された照明装置でもある。
【発明の効果】
【００１４】
本発明に係る照明装置は、上記詳述した通りの構成であるので、以下のような効果がある。
１．半球形のグローブにより広角配光が可能であり、水平方向に加えて鉛直方向へも広範囲に光を発光することが出来る。また、高電圧で高輝度放電ランプにより点灯するため、強力な電磁波のある場所でも点灯を制御しやすい。更に、屋外設置における雨風等の影響に対して耐久性が高い照明装置である。
また、グローブと装置枠体が固定されているため、クリーンアップ作業が容易である。また、消費電力を大幅に抑え、ランプの交換頻度を抑えることができ、経済性および省エネルギー性に優れた照明装置である。
【００１５】
２．照明灯筐体が着脱自在に構成されている為、装置内のランプの交換やメンテナンスをし易い構造である。また、装置枠体が固定されている為、メンテナンス後の設置も容易にでき大型の照明装置にも適した構造である。
３．各高輝度放電ランプの点灯を組み合わせる事により光を混色して７色を発光することが可能であり、夫々の高輝度放電ランプから発光した光がグローブ内で混色されて各色を美しく明瞭に照射することができる。
また、仕切板によりカラーフィルタを透して単一の色を美しく明瞭に発光することができる。更に、７色の光の制御を容易に行うことができる。
【００１６】
４．クリアボルトにより照明装置後方より照明灯の点灯状態を容易に確認出来る。また、着脱自在な照明灯筐体に照明灯が固定されているので取外して、メンテナンスを行い易い構造である。
５．グローブがアクリルで形成されているため、屋外設置における外的環境に対して耐久性が高く、衝撃時における飛散防止にも優れた安全な構造である。
【図面の簡単な説明】
【００１７】
【図１】本発明に係る照明装置の側面図である。
【図２】本発明に係る照明装置の正面図である。
【図３】本発明に係る装置枠体の斜視図である。
【発明を実施するための最良の形態】
【００１８】
以下、本発明に係る照明装置を図面に示す実施例に基づいて詳細に説明する。
図１および図２に示すように、本発明の照明装置１０は、照明灯２０と、グローブ３０と、照明灯筐体４０と、装置枠体５０と、固定台６０と、安定器と、制御装置と、からなる構成である。
【００１９】
照明灯２０は、図２に示すように３つの高輝度放電ランプ２２，２３，２４からなる。高輝度放電ランプを使用することにより高効率で長寿命の照明灯とすることが可能である。その為、高輝度放電ランプ２２，２３，２４の交換頻度を抑えることができ、メンテナンスも容易となる。特に、電波塔においては、強い電磁波の影響によりＬＥＤランプ等が点灯してしまうという問題があった。しかし、高電圧により点灯する高輝度放電ランプを照明灯として使用することで、電磁波と無関係に電圧によって点灯の制御を効果的に行うことができる構造である。
【００２０】
夫々の高輝度放電ランプ２２，２３，２４は照明装置１０の後方に設置される安定器および制御装置（図示せず）により電流および点灯が制御される。
高輝度放電ランプ２２，２３，２４の配列は限定されないが、図２に示す実施例のように、グローブ３０内で３つのランプの点灯による混色が均一に行われるように配置することが好ましい。高輝度放電ランプ自体で調光を行うことは困難であるが、グローブ３０との間に適切な距離をとって各ランプから発光された光に色彩を与え複数の色の光を混色して照射する構造により色の調整が可能となる。
【００２１】
グローブ３０は、図１に示すように半球状に形成されたアクリルの半球体であり、照明装置内の高輝度放電ランプ２２，２３，２４からグローブ３０の球面までは適度な距離が採られている。また、グローブ３０は、装置枠体５０に装着される。照明灯からグローブまでの距離は適宜設定することが可能であるが、本実施例では照明灯の照明側に配置されている装置枠体５０からグローブ３０の球面頂点までの距離を１５５ｍｍとしている。
高輝度放電ランプと球面までの距離により３つのランプの点灯による混色を行い美しく明瞭に色彩を発光させることが出来る。また、グローブの形状が半球形であるため広角配光に適しており、照明装置１０を電波塔のような高所に設置した場合、照明装置の真下であっても照明灯の光を視認することが可能である。
【００２２】
グローブ３０の材質は特に限定されないが、本実施例ではグローブ３０をアクリル製の樹脂で形成しており、衝撃によりグローブ面に割れが生じた場合であっても破損落下や飛散防止効果の高い構造となっている。
また、本実施例では乳白色のグローブを使用しており、消灯時の外観が美しく、内部の高輝度ランプの混色された各色をグローブ面から明瞭に発光できる構造である。グローブの色は乳白色に限定されるものではなく、同様の効果を有する他の色を採用することができる。
【００２３】
照明灯筐体４０は、内部に３つの高輝度放電ランプ２２、２３、２４を固定して内装する筐体である。本実施例ではグローブ３０が装着される前方側を開口とした円錐台状に形成されている。
照明灯筐体４０の外周面には取手４２が装備されている。取手４２により重量のある照明灯筐体４０を容易に後方に移動することができる構成である。取手４２の装着位置および個数は限定されず、照明灯筐体側面に２箇所以上装着することも可能である。図１に示すように、照明灯筐体の上方に装着することで、１つの取手でも大型の筐体を取外しのできる構造とすることができる。
【００２４】
本実施例では照明灯筐体４０の後方に結線ボックス４４が設けられており、内部に収納された高輝度放電ランプ２２，２３，２４が夫々安定器および制御装置へ接続されている。
また、図１に示すように、照明灯筐体４０の一部にワイヤー４６を設けて固定台６０等と連結することにより、照明灯筐体４０を取り外した際の落下防止を図ることができ、より安全性の高い構造とすることが出来る。
【００２５】
装置枠体５０は、照明灯筐体４０とグローブ３０とを一体的に装着する枠体であり、枠体内部に３つのカラーフィルタ５２，５３，５４と、仕切板５６とを備えている。カラーフィルタ５２，５３，５４は、対応する高輝度放電ランプ２２，２３，２４の前面に配置される。
【００２６】
照明灯筐体４０は装置枠体５０に接合具である連結用ボルト５７によって固定される。本実施例では、連結用ボルト５７の近傍に透明なクリアボルト５８を設けている。図１に示すように、高輝度放電ランプの近傍にクリアボルトを設けることにより、照明装置１０の照明裏側から、前方の照明灯の点灯を容易に視認することができる。
【００２７】
仕切板５６は、図３に示すように装置枠体５０の照明灯側に設けられて照明装置内部の高輝度放電ランプを仕切る部材である。仕切板５６は夫々の高輝度放電ランプからの光の拡散を防止し、照明灯内の１つの高輝度放電ランプが点灯した場合に、点灯ランプ前方に配置された単一のカラーフィルタに光を照射して、赤色、青色、又は緑色の各単一色を照明装置から明瞭に発光させる。
【００２８】
装置枠体５０に装備される３つのカラーフィルタ５２，５３，５４は、夫々異なる色で構成されている。本実施例ではカラーフィルタとして赤色のカラーフィルタ５２と、青色のカラーフィルタ５３と、緑色のカラーフィルタ５４の三色のフィルタを使用している。何れか１つの高輝度放電ランプを点灯させることにより、照明装置からレッド、ブルー、グリーンの色を発光させることが出来る。また、赤色のカラーフィルタ５２と青色のカラーフィルタ５３とを透過した光を混色することによりマゼンダ色を発光し、青色のカラーフィルタ５３と緑色のカラーフィルタ５４とを透過した光を混色することによりシアン色を発光し、緑色のカラーフィルタ５４と赤色のカラーフィルタ５２とを透過した光を混色することによりイエロー色の光を照明装置から発光することが出来る。更に、三色のカラーフィルタを透過した光を混色することによりホワイト色の光を発光することが出来る。但し、フィルタの色はこれに限定されるものではない。この３色のフィルタにより、各高輝度放電ランプを発光して各色を混色することにより７色の光を発光することができる。
本実施例ではカラーフィルタ５２，５３，５４に強化ガラスを使用している。
【００２９】
固定台６０は、装置枠体５０を固定する台である。照明装置１０設置時には、装置枠体５０および装置枠体に装着されたグローブ３０および照明灯筐体４０が固定台６０に載設されて設置場所に固定される。本発明は屋外に設置する大型の照明装置であり、特に高所に設置され、広角・広範囲に光を照射する照明装置として使用するのに適している。
【００３０】
また、固定台６０により装置枠体５０、グローブ３０および照明灯筐体４０は堅固に固定され、メンテナンスを必要とする場合には連結用ボルトにより照明灯筐体４０のみを取外すことが可能な構成となっている。照明灯筐体４０と同時に内部の高輝度放電ランプが取り外すことが出来るためランプの交換も容易である。
本実施例では固定台６０としてスチール製の台を用いているが、重量があり載設する照明器具を水平に安定して固定できる台であればよい。
【００３１】
本発明に係る照明装置１０は、グローブ３０が半球形に形成されており、照明灯２０の光が広角、広配光できるため、建造物の高所から発光された光を下方へ明瞭に照射することが可能であり、特に、背の高い屋外構造物のライトアップに適している。高電圧により点灯を制御する高輝度放電ランプを使用している為、磁場の強い電波塔にも適しており、光の色を制御することにより多様な色のライトアップを行う事が出来る。
【００３２】
また、本発明に係る照明装置１０を複数個用いることでライトアップ効果を飛躍的に向上することが出来る。例として、赤色を愛・感謝の意味を持つエンジェル・レッド、緑色を自然・環境の意味を持つピュア・グリーン、青色を水・命の意味を持つアクア・ブルー、マゼンダ色を夢・幸福の意味を持つドリーム・ピンク、シアン色を地球・平和の意味を持つプラネット・グリーン、イエロー色を希望・祝祭の意味を持つリボン・ゴールド、ホワイト色を永遠・継承の意味を持つホワイト・ダイヤモンドとし、各色に意味を持たせて、複数の照明灯の色を組み合わせ、配色することにより光によるメッセージを演出することが出来る。
【符号の説明】
【００３３】
１０    照明装置
２０    照明灯
２２，２３，２４  高輝度放電ランプ
３０    グローブ
４０    照明灯筐体
４２    取手
４４    結線ボックス
４６    ワイヤー
５０    装置枠体
５２，５３，５４  カラーフィルタ
５６    仕切板
５７    連結用ボルト
５８    クリアボルト
６０    固定台
【図１】
2010277930.tif 000003
【図２】
2010277930.tif 000004
【図３】
2010277930.tif 000005